(57)【特許請求の範囲】
【請求項１】
第一選択部と発券部とを有する発券システムにおける発券方法において、
前記第一選択部が、券面に印刷すべき所定情報に応じて、インキの紫外線透過率を選択し、
前記発券部が、選択された紫外線透過率のインキを用いて前記所定情報を券面に印刷し、印刷した券を発券する、
ことを特徴とする発券方法。
【請求項２】
測定部と第二選択部と識別部とを有する偽造券識別システムにおける偽造券識別方法において、
前記測定部が、券面に印刷すべき所定情報に応じてインキの紫外線透過率が選択された紫外線透過率のインキを用いて前記所定情報が券面に印刷された券に、紫外線を照射して紫外線透過率を測定し、
前記第二選択部が、前記券面に印刷されている所定情報に応じてインキの紫外線透過率を選択し、
前記識別部が、測定された紫外線透過率と選択された紫外線透過率とを比較し、比較結果に応じて偽造券を識別する、
ことを特徴とする偽造券識別方法。
【請求項３】
券面に印刷すべき所定情報に応じてインキの紫外線透過率が選択された紫外線透過率のインキを用いて前記所定情報が券面に印刷された券に、紫外線を照射して紫外線透過率を測定する測定部と、
前記券面に印刷されている所定情報に応じてインキの紫外線透過率を選択する第二選択部と、
測定された紫外線透過率と選択された紫外線透過率とを比較し、比較結果に応じて偽造券を識別する識別部と、
を有することを特徴とする偽造券識別システム。
【請求項４】
コンピュータを、
券面に印刷すべき所定情報に応じてインキの紫外線透過率が選択された紫外線透過率のインキを用いて前記所定情報が券面に印刷された券に、紫外線を照射して紫外線透過率を測定する測定部、
前記券面に印刷されている所定情報に応じてインキの紫外線透過率を選択する第二選択部、
測定された紫外線透過率と選択された紫外線透過率とを比較し、比較結果に応じて偽造券を識別する識別部、
として機能させることを特徴とする偽造券識別プログラム。
【請求項５】
券面に印刷すべき所定情報に応じて、インキの紫外線透過率を選択する第一選択部と、
選択された紫外線透過率のインキを用いて前記所定情報を券面に印刷し、印刷した券を発券する発券部と、
発券された券に、紫外線を照射して紫外線透過率を測定する測定部と、
前記券面に印刷されている所定情報に応じてインキの紫外線透過率を選択する第二選択部と、
測定された紫外線透過率と選択された紫外線透過率とを比較し、比較結果に応じて偽造券を識別する識別部と、
を有することを特徴とする偽造券識別システム。
【発明の詳細な説明】
【０００１】
【発明の属する技術分野】
本発明は、発券方法，偽造券識別方法，偽造券識別システム及び偽造券識別プログラムに係り、特に偽造券を識別する為の発券方法，偽造券識別方法，偽造券識別システム及び偽造券識別プログラムに関する。
【０００２】
【従来の技術】
競馬，競輪，競艇等で投票券の発券や配当金の払戻しなどを扱うシステム（以下、トータリゼータという）では、偽造券を防止する為の様々な対策を行っている。
【０００３】
例えば投票券の券面に印刷又は記録されている秘密情報をそのままコピーした偽造券（コピー券）に対しては、以下のようなコピー券対策がとられている。トータリゼータは、発券した投票券のうち的中した投票券の固有情報（窓口の機械番号，機械毎の発券通番など）を管理しておく。トータリゼータは、同一の固有情報を有する投票券について１枚目のみ払戻しを行なっていた。
【０００４】
【発明が解決しようとする課題】
偽造券を防止する為の対策は、より強固なことが望ましい。したがって、上記のコピー券対策と併せて、偽造券を防止する為の他の対策を行なうことが考えれれている。
【０００５】
しかしながら、投票券は大量に発券される為、紙幣のように紙の特注や保管・流通管理にコストを掛けることができず、「透かし」や「複雑な印鑑」を利用することが困難であった。
【０００６】
また、トータリゼータは発券時に多大なトラフィック（Ｔｒａｆｆｉｃ）を発生する為、処理負担が大きい対策を行うことが困難であった。その結果、偽造券を防止する対策として券面に複雑な秘密情報を付加するようなデジタル的な対策しか取りにくいという問題があった。
【０００７】
本発明は、上記の点に鑑みなされたもので、偽造券を容易に識別することができ、偽造券を防止することが可能な発券方法，偽造券識別方法，偽造券識別システム及び偽造券識別プログラムを提供することを目的とする。
【０００８】
【課題を解決するための手段】
そこで、上記課題を解決するため、本発明の発券方法は、第一選択部と発券部とを有する発券システムにおける発券方法において、前記第一選択部が、券面に印刷すべき所定情報に応じて、インキの紫外線透過率を選択し、前記発券部が、選択された紫外線透過率のインキを用いて前記所定情報を券面に印刷し、印刷した券を発券することを特徴とする。
【０００９】
券面に印刷すべき所定情報に応じてインキの紫外線透過率を選択し、選択した紫外線透過率のインキを用いて前記所定情報を券面に印刷することにより、券面に印刷された所定情報及びインキの紫外線透過率を用いて偽造券を容易に識別することができる。
【００１０】
また、本発明の偽造券識別方法は、測定部と第二選択部と識別部とを有する偽造券識別システムにおける偽造券識別方法において、前記測定部が、券面に印刷すべき所定情報に応じてインキの紫外線透過率が選択された紫外線透過率のインキを用いて前記所定情報が券面に印刷された券に、紫外線を照射して紫外線透過率を測定し、前記第二選択部が、前記券面に印刷されている所定情報に応じてインキの紫外線透過率を選択し、前記識別部が、測定された紫外線透過率と選択された紫外線透過率とを比較し、比較結果に応じて偽造券を識別することを特徴とする。
【００１１】
券に紫外線を照射して紫外線透過率を測定し、券面に印刷されている所定情報に応じてインキの紫外線透過率を選択し、測定した紫外線透過率と選択した紫外線透過率とを比較することにより、偽造券を容易に識別することができる。
【００１２】
また、本発明は、券面に印刷すべき所定情報に応じてインキの紫外線透過率が選択された紫外線透過率のインキを用いて前記所定情報が券面に印刷された券に、紫外線を照射して紫外線透過率を測定する測定部と、前記券面に印刷されている所定情報に応じてインキの紫外線透過率を選択する第二選択部と、測定された紫外線透過率と選択された紫外線透過率とを比較し、比較結果に応じて偽造券を識別する識別部とを有することを特徴とする偽造券識別システムであることを特徴とする。
また、本発明は、コンピュータを、券面に印刷すべき所定情報に応じてインキの紫外線透過率が選択された紫外線透過率のインキを用いて前記所定情報が券面に印刷された券に、紫外線を照射して紫外線透過率を測定する測定部、前記券面に印刷されている所定情報に応じてインキの紫外線透過率を選択する第二選択部、測定された紫外線透過率と選択された紫外線透過率とを比較し、比較結果に応じて偽造券を識別する識別部、として機能させることを特徴とする偽造券識別プログラムであることを特徴とする。
また、本発明は、券面に印刷すべき所定情報に応じて、インキの紫外線透過率を選択する第一選択部と、選択された紫外線透過率のインキを用いて前記所定情報を券面に印刷し、印刷した券を発券する発券部と、発券された券に、紫外線を照射して紫外線透過率を測定する測定部と、前記券面に印刷されている所定情報に応じてインキの紫外線透過率を選択する第二選択部と、測定された紫外線透過率と選択された紫外線透過率とを比較し、比較結果に応じて偽造券を識別する識別部と、を有することを特徴とする偽造券識別システムであることを特徴とする。
【００１３】
券売機側では、券面に印刷すべき所定情報に応じてインキの紫外線透過率を選択し、選択した紫外線透過率のインキを用いて前記所定情報を券面に印刷し、印刷した券を発券する。払戻機側では、券に紫外線を照射して紫外線透過率を測定し、券面に印刷されている所定情報に応じてインキの紫外線透過率を選択し、測定した紫外線透過率と選択した紫外線透過率とを比較することで、偽造券を識別する。つまり、本発明では偽造券を防止する対策として、インキの紫外線透過率を所定情報に応じて異ならせるというアナログ的な対策を取ることができる。
【００１４】
人間は、紫外線透過率の異なるインキを視認により区別することができず、異なる紫外線透過率のインキを用いて印刷された券を区別することができない。したがって、偽造券の作成が著しく困難となり、偽造券を防止することが可能となる。
【００１５】
【発明の実施の形態】
次に、本発明の実施の形態について図面に基づいて説明する。なお、本実施例では、券の一例として競馬，競輪，競艇等で利用する投票券の偽造を防止する例について説明するが、いかなる券でもよい。
【００１６】
まず、本発明の理解を容易とする為に、本願発明の原理について説明する。図１は、本発明による投票券の一例のイメージ図を示す。図１（Ａ）は、表面のイメージ図である。また、図１（Ｂ）は裏面のイメージ図である。
【００１７】
図１（Ｂ）のように、投票券の裏面には、磁気塗布を施した磁気塗布部分１４と、磁気塗布を施さない券端部分１３及び１５とがある。券端部分１３及び１５は、磁気塗布が施されていない為、紫外線の透過を妨げない。
【００１８】
図１（Ａ）のように、投票券の表面には、磁気塗布部分１４の表面側に印刷されている情報１１と、券端部分１３の表面側に印刷されている情報１０と、券端部分１５の表面側に印刷されている情報１２とがある。本発明では、情報１０及び１２を印刷するインキの紫外線透過率を所定条件に応じて選択することで、偽造券を防止する新たな対策を設けている。
【００１９】
インキの紫外線透過率は、インキに含まれる顔料の混合比率に応じて変化することが知られている。なお、情報１０及び１２を印刷するインキは、紫外線透過率が異なっていても、人間が視認する色が同一であるものとする。本実施例では、顔料の混合比率が少ないインキＡ，顔料の混合比率が半分のインキＢ，顔料の混合比率が多いインキＣを用いて紫外線透過率を選択する。
【００２０】
例えばインキの紫外線透過率を選択する所定条件としては、情報１０〜１２に含まれる主催者コード，年度，回次，日次，レース番号，賭式，組番，金額，機械番号，発券通番を利用できる。特に、機械番号及び発券通番は発券時に決まるものである為、インキＡ〜Ｃの何れかが選択されるかを予測することが非常に困難となる。
【００２１】
ここで、情報１０〜１２に含まれる主催者コード，年度，回次，日次，レース番号，賭式，組番，金額，機械番号，発券通番を利用してインキの紫外線透過率を選択する例について説明する。
【００２２】
例えば主催者コードａ，年度ｂ，回次ｃ，日次ｄ，レース番号ｅ，賭式ｆ，組番ｇ，金額ｈ，機械番号ｉ，発券通番ｊとすると、以下の式（１）によりインキを選択することができる。
【００２３】
【数１】
0003839690.tif 000002
なお、式（１）の「％」は、剰余を取ることを表している。また、式（１）の指数「Ａ〜Ｋ」は、例えば表１のパターン番号１〜１２の何れか一つを選択して利用する。式（１）の「ｂ，ｇ，ｉ」は、ＥＵＣコードの１６進数にみたてて１６進数で計算した結果の下２桁を取ったものする。式（１）の「ｊ」は、発券通番の下４桁を取ったものとする。
【００２４】
【表１】
0003839690.tif 000003
例えばａ＝２，ｂ＝３０，ｃ＝１，ｄ＝１，ｅ＝１，ｆ＝３，ｇ＝６，ｈ＝１０００，ｉ＝２８，ｊ＝３２８６、パターン番号１の指数Ａ〜Ｋを式（１）に代入して計算すると、８２２が算出される。
【００２５】
インキＡ＝０〜２，インキＢ＝３〜６，インキＣ＝７〜９のように設定しておけば、式（１）の計算結果の下１桁「２」を利用してインキＡを選択することができる。なお、式（１）の計算結果を用いて複数のインキから１つのインキを選択できるのであれば、どのように計算結果を利用してもよい。投票券に含まれる情報１０〜１２に応じてインキを選択する場合、券売機だけでなく払戻機でも情報１０〜１２に応じてインキを選択することができる。
【００２６】
払戻機では、情報１０〜１２に応じてインキを選択する一方、券端部分１３又は１５に紫外線を照射して紫外線透過率を測定し、情報１０又は１２の印刷に利用されたインキを選択する。情報１０〜１２に応じて選択されるインキは、券売機で情報１０又は１２の印刷に利用されたインクである。
【００２７】
したがって、券端部分１３又は１５に紫外線を照射することで選択されたインキと情報１０〜１２に応じて選択されたインキとは同一である必要があり、同一でなければ偽造券であると判断することができる。つまり、投票券の券面に印刷又は記録されている秘密情報をそのままコピーしたとしても、情報１０及び１２の印刷に利用されたインキの紫外線透過率までコピーすることは非常に困難であり、偽造券を効率良く識別することができる。
【００２８】
なお、情報１０及び１２を印刷するインキは、紫外線透過率が異なっても人間が視認する色が同一である為、異なる紫外線透過率のインキを用いて印刷された投票券を区別することができない。
【００２９】
以下、本発明を利用するトータリゼータについて図面を参照しつつ説明していく。図２は、トータリゼータの一例の構成図を示す。
【００３０】
図２のトータリゼータ１は、券売機（ＴＩＭ）２０ａ〜２０ｎと、払戻機（ＰＯＭ）２１ａ〜２１ｍと、制御装置２２，２３と、表示盤２４と、決勝審判端末２５と、場内コンピュータ２６と、発売系の中央コンピュータ２７と、払戻系の中央コンピュータ２８と、的中券管理ファイル２９と、専用線３０とを含むように構成される。
【００３１】
券売機２０ａ〜２０ｎは投票券の発券を行なう装置であって、制御装置２２を介して場内コンピュータ２６に接続されている。券売機２０ａ〜２０ｎは、入力された購入情報に応じて発券要求信号を場内コンピュータ２６に送信し、場内コンピュータ２６から受信した発券許可信号に応じて投票券を発券する。
【００３２】
払戻機２１ａ〜２１ｍは配当金の払戻しを行なう装置であって、制御装置２３を介して場内コンピュータ２６に接続されている。払戻機２１ａ〜２１ｍは、挿入された投票券に応じて払戻券面情報を場内コンピュータ２６に送信し、場内コンピュータ２６から受信した払戻許可信号に応じて配当金の払戻しを行なう。
【００３３】
表示盤２４はオッズ，票数，払戻金などを表示する装置であって、場内コンピュータからの要求に応じた表示を行なう。決勝審判端末２５は入力された着順情報を場内コンピュータに送信する。
【００３４】
場内コンピュータ２６は、券売機２０ａ〜２０ｎから受信した発券要求信号を集計し、集計結果に応じた発売集計情報を発売系の中央コンピュータ２７に専用線３０を介して送信する。また、場内コンピュータ２６は、払戻機２１ａ〜２１ｍから受信した払戻券面情報に応じて払済券消し込み信号を払戻系の中央コンピュータ２８に専用線３０を介して送信し、払戻系の中央コンピュータ２８から配当金情報通知信号を受信する。
【００３５】
発売系の中央コンピュータ２７は、場内コンピュータ２６から受信した発売集計情報を管理し、的中した投票券（的中券）の固有情報を的中券管理ファイル２９に格納する。
【００３６】
払戻系の中央コンピュータ２８は、場内コンピュータ２６から受信した払済券消し込み信号に応じて的中券管理ファイル２９を検索し、払済券消し込み信号に該当する的中券の固有情報を的中券管理ファイル２９から消し込む。そして、払戻系の中央コンピュータ２８は、払済券消し込み信号に該当する的中券の固有情報を的中券管理ファイル２９から消し込んだ後で、配当金情報通知信号を場内コンピュータ２６に送信する。即ち、払戻系の中央コンピュータ２８は、的中券の固有情報を管理することで、同一の固有情報を有する投票券について１枚目のみ払戻しを許可する。
【００３７】
なお、図２では、発売系の中央コンピュータ２７と払戻系の中央コンピュータ２８とを別々に設けているが、１つの中央コンピュータに発売系の中央コンピュータ２７の機能と払戻系の中央コンピュータ２８の機能とを設けるように構成してもよい。
【００３８】
本発明によるトータリゼータ１は、券売機２０ａ〜２０ｎ，払戻機２１ａ〜２１ｎ，場内コンピュータ２６に特徴を有している。そこで、券売機２０ａ〜２０ｎ，払戻機２１ａ〜２１ｎ，場内コンピュータ２６の処理を中心に説明する。
【００３９】
図３は、本発明の偽造券識別方法について説明する一例の図を示す。券売機２０は、入力された購入情報に応じて発券要求信号を場内コンピュータ２６に送信する。場内コンピュータ２６は、受信した発券要求信号に含まれる情報を所定条件として利用することで、前述のように紫外線透過率の異なる複数のインキから１つのインキを選択できる。
【００４０】
場内コンピュータ２６は発券要求信号に問題がなければ、発券許可信号と、選択したインキに対応するインキ番号とを券売機２０に送信する。券売機２０は、場内コンピュータ２６からの発券許可信号及びインキ番号を受信すると、受信したインキ番号に対応するインキで図１のような投票券を印刷し、印刷した投票券を発券する。なお、磁気塗布部分１４の表面側は、インキ番号に対応していないインキで印刷を行ってもよい。
【００４１】
払戻機２１は挿入された投票券の券端部分１３又は１５に紫外線を照射し、例えば券端部分１３又は１５を透過した紫外線透過光量から印刷に使用したインキのインキ番号を選択する。また、払戻機２１は挿入された投票券に応じて払戻券面情報を編集する。払戻機２１は、選択したインキ番号と、編集した払戻券面情報とを場内コンピュータ２６に送信する。
【００４２】
場内コンピュータ２６は、受信した払戻券面情報に含まれる情報を所定条件として利用することで、前述のように紫外線透過率の異なる複数のインキから１つのインキを選択できる。なお、同一の投票券である場合、投票券の発券時に場内コンピュータ２６で選択されるインキと、的中した投票券の払戻時に場内コンピュータ２６で選択されるインキとが同一であるものとする。
【００４３】
場内コンピュータ２６は、払戻機２１から受信したインキ番号と、選択したインキに対応するインキ番号とを比較し、比較結果が一致であれば払戻許可信号を払戻機２１に送信する。一方、比較結果が不一致であれば、偽造券であると判定して例えば警報（アラーム）信号を払戻機２１に送信する。払戻機２１は、場内コンピュータ２６からの払戻許可信号を受信すると、配当金の払戻しを行なう。
【００４４】
図４は、本発明による券売機の一実施例の構成図を示す。券売機２０は、発券要求信号編集部４１と，購入情報記憶メモリ４２と，送受信制御部４３と，印刷内容伝達部４４と，インキ選択部４５と，代金勘定部４６と，釣り銭出力部４７と，チケット用紙４８と，印刷部４９と，チケット切断部５０とを有するように構成される。
【００４５】
発券要求信号編集部４１は、購入者が入力した購入情報が供給される。購入情報とは、投票券を購入する為に必要な主催者コード，年度，回次，日次，レース番号，賭式，組番，金額等である。なお、発券要求信号編集部４１は、供給された購入情報に機械番号，発券通番等の必要な情報を付加する。
【００４６】
購入情報が供給されると、発券要求信号編集部４１は購入情報に応じた代金を代金勘定部４６に通知する。代金勘定部４６は、紙幣出入口又は硬貨出入口から投入された投入金額を勘定する。代金勘定部４６は代金と投入金額とを比較し、必要があれば釣り銭出力部４７に釣り銭を出力させる。
【００４７】
代金勘定部４６から購入情報に応じた代金が投入された旨が通知されると、発券要求信号編集部４１は購入情報を購入情報記憶メモリ４２に供給する。また、発券要求信号編集部４１は購入情報に応じて発券要求信号を編集し、その発券要求信号を送受信制御部４３に供給する。送受信制御部４３は、供給された発券要求信号を場内コンピュータ２６に送信する。
【００４８】
場内コンピュータ２６は後述するように発券要求信号を処理し、発券要求信号に問題がなければ、発券許可信号と選択したインキに対応するインキ番号とを券売機２０に送信する。
【００４９】
場内コンピュータ２６から発券許可信号及びインキ番号を受信すると、送受信制御部４３は受信した発券許可信号及びインキ番号を印刷内容伝達部４４に供給する。印刷内容伝達部４４は供給された発券許可信号に応じて購入情報記憶メモリ４２から購入情報を受信し、印刷部４９に印刷内容を供給する。また、印刷内容伝達部４４は供給されたインキ番号をインキ選択部４５に供給する。
【００５０】
インキ選択部４５は供給されたインキ番号に応じて印刷部４９で印刷に利用するインキタンクを選択する。印刷部４９は、インキ番号に対応する複数のインキタンク５１Ａ〜５１Ｃと、インキ番号に対応していないインキタンク５１Ｚとを備える。なお、インキタンク５１Ａは顔料の混合比率が少ないインキＡが格納されている。インキタンク５１Ｂは顔料の混合比率が半分のインキＢが格納されている。インキタンク５１Ｃは顔料の混合比率が多いインキＣが格納されている。
【００５１】
印刷部４９は、ロール状に収納されているチケット用紙４８が連続的に供給される。チケット用紙４８は、例えば券端部分１３，１５に磁気塗布が施されておらず、その他の部分１４に磁気塗布が施されている。
【００５２】
印刷部４９は、印刷内容伝達部４４から供給された印刷内容のうち磁気塗布部分１４の表面側をインキタンク５１Ｚのインキで印刷する一方、磁気塗布を施していない例えば券端部分１３，１５の表面側をインキ選択部４５により選択されたインキタンク５１Ａ〜５１Ｃの何れか１つのインキで印刷する。
【００５３】
印刷が終了したチケット用紙４８は、カッター等のチケット切断部５０で切断され、図１のような投票券が発券取出口から出力される。
【００５４】
図５は、本発明による払戻機の一実施例の構成図を示す。払戻機２１は、インキ番号選択部６１と，ＯＣＲ（Optical Character Reader）６２と，券面情報編集部６３と，送受信制御部６４と，信号判定部６５と，現金自動支払部６６と，警報出力部６７とを有するように構成される。
【００５５】
インキ番号選択部６１は的中券挿入口等から挿入された投票券が供給され、投票券の券端部分１３又は１５に紫外線を照射する。インキ番号選択部６１は券端部分１３又は１５を透過した紫外線透過量を測定し、測定結果から印刷に使用されたインキのインキ番号を選択する。インキ番号選択部６１は選択したインキ番号を券面情報編集部６３に供給する。
【００５６】
ＯＣＲ部６２はインキ番号選択部６１から投票券が供給され、券面字面情報を読み取る。券面字面情報とは、例えば投票券の表面に印刷されている情報１１である。ＯＣＲ部６２は、読み取った券面字面情報を券面情報編集部６３に供給する。
【００５７】
券面情報編集部６３は、ＯＣＲ部６２から供給された券面字面情報に応じて払戻券面情報を編集する。そして、券面情報編集部６３は編集した払戻券面情報とインキ番号選択部６１から供給されたインキ番号とを送受信制御部６４に供給する。送受信制御部６４は、供給された払戻券面情報及びインキ番号を場内コンピュータ２６に送信する。
【００５８】
場内コンピュータ２６は、後述するように払戻券面情報及びインキ番号を処理し、払戻許可信号又は警報信号を払戻機２１に送信する。場内コンピュータ２６から払戻許可信号又は警報信号を受信すると、送受信制御部６４は受信した払戻許可信号又は警報信号を信号判定部６５に供給する。
【００５９】
信号判定部６５は払戻許可信号を受信すると、受信した払戻許可信号を現金自動支払部６６に供給する。一方、信号判定部６５は警報信号を受信すると、受信した警報信号を警報出力部６７に供給する。
【００６０】
現金自動支払部６６は払戻許可信号を受信すると、供給された払戻許可信号に応じて配当金の払戻しを行なう。警報出力部６７は警報信号を受信すると、警報情報に応じた警報を出力する。警報信号には、挿入された投票券が的中していない旨を通知する信号や、偽造券を識別した旨を通知する信号を含んでいる。
【００６１】
図６は、場内コンピュータを実現するコンピュータシステムの一実施例の構成図を示す。図６のコンピュータシステムは、それぞれバスＢで相互に接続されている入力装置７１と，表示装置７２と，ドライブ装置７３と，記録媒体７４と，補助記憶装置７５と，メモリ装置７６と，演算処理装置７７と，インターフェース装置７８と，データベース（以下、ＤＢという）７９とを含むように構成される。
【００６２】
入力装置７１は、場内コンピュータ２６の利用者が操作するキーボード及びマウスなどで構成され、場内コンピュータ２６に各種操作信号を入力するために用いられる。表示装置７２は、場内コンピュータ２６を操作するのに必要な各種ウインドウやデータ等を表示する。
【００６３】
インターフェース装置７８は、場内コンピュータ２６を他の装置等に接続する為のインターフェースであり、例えばモデム（MODEM），ルータ（Router）等で構成される。ＤＢ７９は、本発明によるトータリゼータを実現する為に必要な各種情報を格納している。
【００６４】
場内コンピュータ２６が利用する偽造券識別プログラムは、ＣＤ−ＲＯＭ等の記録媒体７４によって提供される。記録媒体７４は、ＣＤ−ＲＯＭの他、フレキシブルディスク、光磁気ディスク（ＭＯ）等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００６５】
偽造券識別プログラムを記録した記録媒体７４は、ドライブ装置７３にセットされ、偽造券識別プログラムが記録媒体７４からドライブ装置７３を介して補助記憶装置７５にインストールされる。
【００６６】
補助記憶装置７５は、インストールされた偽造券識別プログラムを格納すると共に、必要なファイル，データ等を格納する。メモリ装置７６は、例えば場内コンピュータ２６の起動時に補助記憶装置７５から偽造券識別プログラムを読み出し、読み出した偽造券識別プログラムを格納する。演算処理装置７７は、メモリ装置７６に読み出され格納された偽造券識別プログラムに従って場内コンピュータ２６に係る処理を実行する。
【００６７】
以下、場内コンピュータ２６の処理について、発売系の処理と払戻系の処理とを分けて説明する。図７は、場内コンピュータの発売系の処理について説明する一例の図を示す。
【００６８】
ステップＳ１では、場内コンピュータ２６が券売機２０から発券要求信号を受信する。ステップＳ１に続いてステップＳ２に進み、場内コンピュータ２６は開催情報などの所定項目をチェックし、発券要求信号に応じて発券が可能か否かを判定する。
【００６９】
発券が可能であれば、場内コンピュータ２６はステップＳ３に進み、発券要求信号を集計する。一方、発券が可能でなければ、場内コンピュータ２６はステップＳ８に進み、発券不許可信号を券売機２０に送信する。
【００７０】
ステップＳ３に続いてステップＳ５に進み、場内コンピュータ２６は発券要求信号に含まれる券面情報をパラメータとして利用し、前述したようにインキ番号を選択する。ステップＳ５に続いてステップＳ６に進み、場内コンピュータ２６は発券許可信号にインキ番号を付与する。そして、ステップＳ６に続いてステップＳ７に進み、場内コンピュータ２６は発券許可信号及びインキ番号を券売機２０に送信する。
【００７１】
また、ステップＳ３に続いてステップＳ４に進み、場内コンピュータ２６は発券要求信号の集計結果に応じた発売集計情報を発売系の中央コンピュータ２７に送信する。
【００７２】
図８は、場内コンピュータの払戻系の処理について説明する一例の図を示す。ステップＳ１０では、場内コンピュータ２６が払戻機２１から払戻券面情報及びインキ番号を受信する。
【００７３】
ステップＳ１０に続いてステップＳ１１に進み、場内コンピュータ２６は払戻券面情報をチェックする。例えば情報コンピュータ２６は供給された払戻券面情報に応じて、挿入された投票券が的中しているか否かを判定する。
【００７４】
払戻券面情報のチェックにより問題が発見されれば、場内コンピュータ２６はステップＳ１７に進み、通常の払戻拒否信号を編集する。そして、ステップＳ１７に続いてステップＳ１８に進み、場内コンピュータ２６は編集した払戻拒否信号を払戻機２１に送信する。
【００７５】
一方、払戻券面情報のチェックにより問題が発見されなければ、場内コンピュータ２６はステップＳ１２に進み、払戻券面情報を集計する。ステップＳ１２に続いてステップＳ１３に進み、場内コンピュータ２６は払戻券面情報に含まれる券面情報をパラメータとして利用し、前述したようにインキ番号を選択する。なお、ステップＳ１３で行なうインキ番号の選択とステップＳ５で行なうインキ番号の選択とは同一であるものとする。
【００７６】
場内コンピュータ２６はステップＳ１３で選択したインキ番号と払戻機２１から受信したインキ番号との整合性を確認する。ステップＳ１３で選択したインキ番号と払戻機２１から受信したインキ番号とが一致すれば、場内コンピュータ２６は払済券消し込み信号を払戻系の中央コンピュータ２８に送信する。
【００７７】
一方、ステップＳ１３で選択したインキ番号と払戻機２１から受信したインキ番号とが一致しなければ、場内コンピュータ２６は払戻機２１に挿入された投票券が偽造券であると判定してステップＳ１９に進む。ステップＳ１９では、偽造券の識別に応じた警報信号を編集する。そして、ステップＳ１９に続いてステップＳ２０に進み、場内コンピュータ２６は編集した警報信号を払戻機２１に送信する。
【００７８】
ステップＳ１４では、場内コンピュータ２６が払戻系の中央コンピュータ２８から配当金情報通知信号を受信する。ステップＳ１４に続いてステップＳ１５に進み、場内コンピュータ２６は受信した配当金情報通知信号に応じた払戻許可信号を編集する。そして、ステップＳ１５に続いてステップＳ１６に進み、場内コンピュータ２６は編集した払戻許可信号を払戻機２１に送信する。
【００７９】
したがって、本発明のトータリゼータでは、券面情報に応じて選択されるインキと投票券に紫外線を照射して選択されたインキとを比較することで、簡単に偽造券を識別することができる。
【００８０】
本発明は、以下に記載する付記のような構成が考えられる。
（付記１）  券面に印刷すべき所定情報に応じて、インキの紫外線透過率を選択する選択段階と、
選択した紫外線透過率のインキを用いて前記所定情報を券面に印刷し、印刷した券を発券する発券段階と
を有することを特徴とする発券方法。
（付記２）  前記インキは、顔料の混合比率に応じて紫外線透過率が選択されることを特徴とする付記１記載の発券方法。
（付記３）  前記発券段階は、選択した紫外線透過率のインキを用いて前記所定情報の少なくとも一部を、券面のうち紫外線の透過を妨げない部分に印刷することを特徴とする付記１又は２記載の発券方法。
（付記４）  券面に所定情報が印刷された券を発券する券売機であって、
紫外線透過率の異なる複数のインキが格納されたインキ格納手段と、
券面に印刷すべき所定情報に応じて前記複数のインキのうち１つのインキを選択し、選択したインキを用いて前記所定情報を券面に印刷して発券する発券手段と
を有することを特徴とする券売機。
（付記５）  券に紫外線を照射して紫外線透過率を測定する測定段階と、
券面に印刷されている所定情報に応じてインキの紫外線透過率を選択する選択段階と、
測定した紫外線透過率と選択した紫外線透過率とを比較し、比較結果に応じて偽造券を識別する識別段階と
を有することを特徴とする偽造券識別方法。
（付記６）  前記インキは、顔料の混合比率に応じて紫外線透過率が選択されることを特徴とする付記５記載の偽造券識別方法。
（付記７）  前記測定段階は、券面に印刷されている所定情報のうち紫外線の透過を妨げない部分に印刷されている所定情報に紫外線を照射して紫外線透過率を測定することを特徴とする付記５又は６記載の偽造券識別方法。
（付記８）  券面に印刷されている所定情報に応じて払戻しを行なう払戻機であって、
券面に印刷されている所定情報に紫外線を照射して、前記所定情報を券面に印刷したインキの紫外線透過率を測定する測定手段と、
券面に印刷されている所定情報に応じてインキの紫外線透過率を選択し、選択した紫外線透過率と測定した紫外線透過率との比較結果に応じて偽造券を識別する識別手段と
を有することを特徴とする払戻機。
（付記９）  券売機及び払戻機にネットワークを介して接続されたコンピュータを用いて偽造券を識別する偽造券識別方法であって、
前記券売機から券面に印刷すべき所定情報が供給され、前記所定情報に応じてインキの紫外線透過率を選択する第１選択段階と、
選択したインキの紫外線透過率を前記券売機に供給する第１供給段階と、
前記払戻機から券面に印刷されている所定情報及び券に紫外線を照射して測定した紫外線透過率が供給され、前記所定情報に応じてインキの紫外線透過率を選択する第２選択段階と、
測定した紫外線透過率と選択した紫外線透過率とを比較し、比較結果に応じて偽造券を識別する識別段階と、
識別した結果を前記払戻機に供給する第２供給段階と
を有することを特徴とする偽造券識別方法。
（付記１０）  前記インキは、顔料の混合比率に応じて紫外線透過率が選択されることを特徴とする付記９記載の偽造券識別方法。
（付記１１）  コンピュータに、
券売機から供給された券面に印刷すべき所定情報に応じてインキの紫外線透過率を選択する第１選択手順と、
選択したインキの紫外線透過率を前記券売機に供給する第１供給手順と、
払戻機から供給された券面に印刷されている所定情報に応じてインキの紫外線透過率を選択する第２選択手順と、
前記払戻機から供給された券に紫外線を照射して測定した紫外線透過率と前記第２選択手順で選択した紫外線透過率とを比較し、比較結果に応じて偽造券を識別する識別手順と、
識別した結果を前記払戻機に供給する第２供給手順と
を有することを特徴とする偽造券識別プログラム。
（付記１２）  コンピュータに、
券売機から供給された券面に印刷すべき所定情報に応じてインキの紫外線透過率を選択する第１選択手順と、
選択したインキの紫外線透過率を前記券売機に供給する第１供給手順と、
払戻機から供給された券面に印刷されている所定情報に応じてインキの紫外線透過率を選択する第２選択手順と、
前記払戻機から供給された券に紫外線を照射して測定した紫外線透過率と前記第２選択手順で選択した紫外線透過率とを比較し、比較結果に応じて偽造券を識別する識別手順と、
識別した結果を前記払戻機に供給する第２供給手順と
を有することを特徴とする偽造券識別プログラムを記録したコンピュータ読み取り可能な記録媒体。
（付記１３）  券面に所定情報が印刷された券であって、
券面に印刷された所定情報は、前記所定情報に応じた紫外線透過率のインキを用いて、紫外線の透過を妨げない券面の部分に印刷されていることを特徴とする券。
【００８１】
【発明の効果】
上述の如く、本発明によれば、券面に印刷すべき所定情報に応じてインキの紫外線透過率を選択し、選択した紫外線透過率のインキを用いて前記所定情報を券面に印刷することにより、券面に印刷された所定情報及びインキの紫外線透過率を用いて偽造券を容易に識別することができる。
【００８２】
また、本発明によれば、券に紫外線を照射して紫外線透過率を測定し、券面に印刷されている所定情報に応じてインキの紫外線透過率を選択し、測定した紫外線透過率と選択した紫外線透過率とを比較することにより、偽造券を容易に識別することができる。
【００８３】
また、本発明によれば、偽造券を防止する対策として、インキの紫外線透過率を所定情報に応じて異ならせるというアナログ的な対策を取ることができる。したがって、偽造券の作成が著しく困難となり、偽造券を防止することが可能となる。
【００８４】
【図面の簡単な説明】
【図１】本発明のよる投票券の一例のイメージ図である。
【図２】トータリゼータの一例の構成図である。
【図３】本発明の偽造券識別方法について説明する一例の図である。
【図４】本発明による券売機の一実施例の構成図である。
【図５】本発明による払戻機の一実施例の構成図である。
【図６】場内コンピュータを実現するコンピュータシステムの一実施例の構成図である。
【図７】場内コンピュータの発売系の処理について説明する一例の図である。
【図８】場内コンピュータの払戻系の処理について説明する一例の図である。
【符号の説明】
１    トータリゼータ
１０〜１２    情報
１３，１５    券端部分
１４    磁気塗布部分
２０ａ〜２０ｎ，２０    券売機
２１ａ〜２１ｍ，２１    払戻機
２２，２３    制御装置
２４    表示盤
２５    決勝審判端末
２６    場内コンピュータ
２７，２８    中央コンピュータ
２９  的中券管理ファイル
３０    専用線
４１    発券要求信号編集部
４２    購入情報記憶メモリ
４３    送受信制御部
４４    印刷内容伝達部
４５    インキ選択部
４６    代金勘定部
４７    釣り銭出力部
４８    チケット用紙
４９    印刷部
５０    チケット切断部
５１Ａ〜５１Ｃ，５１Ｚ    インキタンク
６１    インキ番号選択部
６２    ＯＣＲ（Optical Character Reader）
６３    券面情報編集部
６４    送受信制御部
６５    信号判定部
６６    現金自動支払部
６７    警報出力部
７１    入力装置
７２    表示装置
７３    ドライブ装置
７４    記録媒体
７５    補助記憶装置
７６    メモリ装置
７７    演算処理装置
７８    インターフェース装置
７９    データベース（ＤＢ）
【図１】
0003839690.tif 000004
【図２】
0003839690.tif 000005
【図３】
0003839690.tif 000006
【図４】
0003839690.tif 000007
【図５】
0003839690.tif 000008
【図６】
0003839690.tif 000009
【図７】
0003839690.tif 000010
【図８】
0003839690.tif 000011